(57)【要約】【課題】従来のゴミ袋においては、使用者が開口部中央の前後面フラップを指で滑らせて開口しようとしても開口部の前後のシート内面が密着して指の腹とゴミ袋開口部の表面とが滑り開口部のシートが旨く開口しないと言う欠点があった。これを解消しようとしてゴミ袋の開口部の内表面や外表面に滑り止め機能を有したインキや塗料や印刷を施したとしても、独特の開口部波形のゴミ袋においては具体的にどの個所に滑り止め加工をするのが最適かという特定の技術までは開発されていなかった。【解決手段】開口縁部を波形とすることにより中央に山形突出状の前後面フラップを、その左右側に谷部を挟んで略長方形状の左右取っ手部をそれぞれ形成した合成樹脂フィルム素材のゴミ袋において、前後面フラップの周縁部近傍に摩擦抵抗がフィルム外表面よりは大きいスリット加工を施したことを特徴とするゴミ袋の開口部構造。【選択図】図４
2015151221.tif 000002
【特許請求の範囲】
【請求項１】
開口縁部を波形とすることにより中央に山形突出状の前後面フラップを形成すると共に、その左右側に谷部を挟んで略長方形状の左右取っ手部を形成した合成樹脂フィルム素材のゴミ袋において、前後面フラップの周縁部近傍で合成樹脂フィルム表面に前後面フラップを貫通した円孔又は線状のスリットを形成することによりスリットの端縁が指腹係合部となるように構成したことを特徴とするゴミ袋の開口部構造。
【請求項２】
前後面フラップの周縁部近傍に形成したスリットは単一または複数個の円孔としたことを特徴とする請求項１に記載のゴミ袋の開口部構造。
【請求項３】
前後面フラップの周縁部近傍に形成したスリットは複数個の縦線又は横線又は交差線よりなる線状スリット群であることを特徴とする請求項１または請求項２に記載のゴミ袋の開口部構造。
【請求項４】
前後面フラップの周縁部近傍としては、前後面フラップの略頂上部の位置としたことを特徴とする請求項１または請求項２または請求項３に記載のゴミ袋の開口部構造。
【請求項５】
前後面フラップの周縁部近傍にスリットを形成するために使用するスリット工具は、その歯先外面に粗造面を形成したことを特徴とする請求項１乃至請求項４の何れか１項に記載のゴミ袋の開口部構造。
【発明の詳細な説明】
【技術分野】
【０００１】
この発明は、特定の形状に構成されたゴミ袋開口部の開閉操作が指腹とシート表面との係合抵抗により容易に行えると共に、ゴミ収納後の開口部の緊締も弛緩が容易に生じないように構成したゴミ袋の開口部構造に関する。
【背景技術】
【０００２】
従来、ゴミ袋の中で特に市町村等の自治体が特に指定したゴミ袋がある。
【０００３】
その中でも本件出願の発明者が発明した合成樹脂シート製のゴミ袋は、ゴミ袋の収集場所まで運びやすいように、また、ゴミ袋収集人が把持しやすいように、開口部を波形に構成し、波形の突出部同士を結んで開口部を閉塞すると共に、その結び目を容易に把持して持ち運びが容易にできるように構成している。
【０００４】
また、かかる通常の合成樹脂シートからなるゴミ袋にあっては、ゴミの収納時に袋開口部を開口する際には親指の指腹と人差しの指腹との間に前後シート壁を挟み滑らせて前後シートをずらして開口部を開口する操作を行っているが、指腹面と樹脂シート表面との間の摩擦抵抗が少ないためシート表面で指腹が滑り勝ちとなり開口部の開口が行いにくい状態が生起する。そのため、開口部の前後シート表面に滑りにくい素材含有の印刷インクを印刷塗布したり、開口部の密着した前後シートの内表面に微細な凹凸加工を行い可及的に前後シートが密着せず、同時に指腹でシート表面が滑らないようにして開口部の開口作業が容易に行えるように構成している。
【先行技術文献】
【特許文献】
【０００５】
【特許文献１】特開２００７―１５８４３号公報
【特許文献２】特開２００７−２７６８９１号公報
【特許文献３】特開平７−２５１８４８号公報
【特許文献４】特開２００６−１８２４０９号公報
【特許文献５】実開平６−１４０３８号公報
【発明の概要】
【発明が解決しようとする課題】
【０００６】
従来の発明は、特開２００７―１５８４３、特開２００７−２７６８９１、特開平７−２５１８４８などに開示されているように、開口部を波形の形状に構成し、開口部中央は山形の前後面フラップを、その両側には谷部を挟んで長手状の取っ手部を形成しており、ゴミ収納後は前後壁シートの前後面フラップ同士を、その後左右の取っ手部同士を相互にクロス状に結び、又は前後面フラップを重ねて間に挟み左右の取っ手部同士結ぶようにしてゴミ袋の開口部を結んで緊締し収納ゴミが不用意に袋から飛び出さないようにしてゴミ収集場所に容易に持ち出すことができるように構成しており、かかる本発明者独特の特殊形状のゴミ袋は、ゴミ袋の開口部の緊締が容易に且つ確実に行えると共に、結び目の部分を把持することによりゴミ袋の持ち出しが容易となり、また緊締部の弛緩も生起しないという有意義な効果を有するためあまねく全国に知れ渡り全国の主なる自治体の指定を受けて多数使用されている。
【０００７】
また、特開２００６−１８２４０９、実開平６−１４０３８に記載されている他の発明は、ポリエチレン袋の内面が微細凹凸面であって滑りがよいため開口部を開く際に袋内面が密着せず、また袋の外表面をノンスリップタイプのナイロンで構成することにより滑りにくくして袋を積み重ねても摩擦抵抗でずり落ちないように構成したものであり、また他の発明は、ゴミ袋の開口部付近に滑り止め効果のある塗料、インク、ワックスなどの材料やシール、テープ、プレート等の物体又は粉体を付着させたものである。
【０００８】
本件出願の発明者が開発したかかる従来のゴミ袋は、上記したように各種の利点を有するゴミ袋ではあったが、巻き取ったゴミ袋シートの状態から袋を解除してゴミを収納するために袋を開口する際には、開口部中央の前後面フラップの外表面を指の腹面で摘まんで滑らせ前後面フラップの密着面をずらして開口する作業を必要とする。しかし、開口部の前後面フラップ内面が密着しているため指の腹面とゴミ袋開口部の表面とが滑りやすく開口部の前後面フラップの密着部分が容易に開口しないという欠点があった。
【０００９】
かかる前後面フラップの密着の要因は、薄膜フィルムの静電気による密着や、前後面フラップの内面の真空無圧によること以外にも、前後面フラップの形成時にカッターにより連続した樹脂袋を裁断する際に裁断線に微細なフィルムの線状毛が互いに絡み合い前後面フラップの開口縁部が合体して密着状態となることにもよる。
【００１０】
これを解消しようとしてゴミ袋の開口部の内表面や外表面に従前の技術を応用して滑り止め機能を有したインキや塗料や印刷を施したとしても、本件出願の発明者が開発した特定の開口部波形のゴミ袋においては具体的にどの個所に滑り止めの加工をするのが最適かという具体的な技術は未知であり、最も機能的に最適の個所を特定する技術までは開発されていなかった。
【００１１】
更には、かかる特定形状のゴミ袋の開口部は波形の突出部同志を結んで緊締するように構成されているが、結び方によっては結び目が開口部シートの表面滑動性のため不用意に解けるおそれがあり、従って結び目が解けないように開口部のシート外表面のどの個所に摩擦抵抗を増大させた加工を施すか、他方指腹とスリップしないでゴミ袋開口部の開口を容易に行いやすくするために指と接触するシートのどの箇所に摩擦抵抗の技術を施工するか等を決定するのは極めて重要な技術要素であった。
【課題を解決するための手段】
【００１２】
この発明は、開口縁部を波形とすることにより中央に山形突出状の前後面フラップを形成すると共に、その左右側に谷部を挟んで略長方形状の左右取っ手部を形成した合成樹脂フィルム素材のゴミ袋において、前後面フラップの周縁部近傍で合成樹脂フィルム表面に前後面フラップを貫通した円孔又は線状のスリットＳを形成することによりスリットＳの端縁が指腹係合部となるように構成したことを特徴とするゴミ袋の開口部構造を提供するものである。
【００１３】
また、前後面フラップの周縁部近傍に形成したスリットＳは単一または複数個の円孔としたことにも特徴を有する。
【００１４】
また、前後面フラップの周縁部近傍に形成したスリットＳは複数個の縦線又は横線又は交差線よりなる線状スリットＳ群であることにも特徴を有する。
【００１５】
また、前後面フラップの周縁部近傍としては、前後面フラップの略頂上部の位置としたことにも特徴を有する。
また、前後面フラップの周縁部近傍にスリットＳを形成するために使用するスリットＳ工具は、その歯先外面に粗造面を形成したことにも特徴を有する。
【発明の効果】
【００１６】
請求項１の発明によれば、開口縁部を波形とすることにより中央に山形突出状の前後面フラップを、また、その左右側に谷部を挟んで略長方形状の左右取っ手部をそれぞれ形成した合成樹脂フィルム素材のゴミ袋において、前後面フラップの周縁部近傍で合成樹脂フィルム表面に前後面フラップを貫通した円孔又は線状のスリットＳを形成することによりスリットＳの端縁が指腹係合部となるように構成したことにより、ゴミ袋の開口部の開口動作時に前後面フラップの周縁部近傍において二本の指の腹で前後開口部シートの外表面を挟持してつまむ動作をすれば、前後面フラップの周縁部近傍のスリットＳの端縁が指腹係止部となり少なくとも摩擦係数が他の箇所に比し大きいため指腹面が係止抵抗を受けて前後開口部シートの外表面にうねり状の皺を生起して開口部が開口する。従って、容易にゴミ袋の開口部の開口ができゴミ収納作業が簡便に行える効果がある。
【００１７】
更には、ゴミの収納後に開口部を閉じるに際しては開口縁の前後面フラップと取っ手部のそれぞれの独特の形状を利用して前後面フラップ同士の結び目と取っ手部同士の結び目とを前後左右でクロスするようにして開口部の緊締を行うものであるが、予め前後面フラップの周縁部近傍にスリットＳ加工を施したことにより前後面フラップ外表面のスリットＳの端縁が結び目構造内で互いに当接し、かかる当接した前後面フラップ外表面の係止加工部分は滑り摩擦抵抗が大きいためその分の滑動機能が低下して結び目が弛緩しにくい効果を生起しゴミ袋の開口部の緊締をより確実にすることができる効果があり、更には、フラップにおける結び操作時にスリットＳの開口によってフラップの周縁部近傍が伸長作用を生起し結び操作が容易となり、一旦結んだ後は伸長部分が収縮してスリットＳの端縁同士の絡みがより濃厚となり弛緩防止機能を一段と発揮することができる効果がある。要するに、前後面フラップ周縁部近傍に前後面フラップを貫通したスリットＳを形成加工したことによりゴミ袋の開口操作とゴミ収納後の結び目の弛緩防止を同時に果たすことができるという効果がある。
更には、前後面フラップの開口時に円孔又は線状のスリットＳに指を差し込んで直外方に引っ張ることにより円孔や線状のスリットＳを破って上方開口の長孔とすることもでき、この上方開口の切り口を指腹でつまむことにより左右に押し開き、密着状態のフラップの端縁を容易に開口することができる効果がある。同時に円孔や線状のスリットＳにより結び目の弛緩を防止できる効果がある。
【００１８】
請求項２の発明によれば、前後面フラップの周縁部近傍に形成したスリットＳは単一または複数個の円孔としたことにより、指腹面との引っ掛かりが指腹面全面で行われるため係合摩擦抵抗がより大きくなり密着したフィルムの剥離開口がより容易となる効果を有する。
【００１９】
請求項３の発明によれば、縦線や横線や交差線の線状スリットＳ群が形成されることになり、指腹面をこのスリットＳ上で滑らせるとスリットＳ端縁と指腹面とが係合して密着したフラップの剥離開口が容易となる効果を有し、同時に結び目の弛緩を防止できる効果がある。
【００２０】
請求項４の発明によれば、前後面フラップの周縁部近傍としては、前後面フラップの略頂上部の位置としたことにより、最も開口しやすいフラップの略頂上部で開口操作が行えるので、開口操作が容易に行えると共にフラップの緊締作業も行いやすく、結び目の構造内にスリットＳが介在して弛緩防止にも効果的である。
請求項５の発明によれば、スリットＳを形成するために使用するスリットＳ工具はその歯先外面に粗造面を形成したことにより、前後面フラップにスリットＳを形成するためスリットＳ工具の歯先をフラップに食い込ませて丸形状や線形状のスリットＳを形成した後に歯先をフラップから抜去すると、歯先外面の粗造面によってスリットＳの端縁部に毛線状の毛羽立ちが歯先引き抜き方向、すなわち、フラップの外表面に突出した状態となる。この毛羽立ちが指腹の引っかかり抵抗となり指腹のスリップを防止して指先のフリップの摘まみ機能を促進してゴミ袋の開口を円滑に行うことができると共に、結び目の構造内にスリットＳ端縁部の毛羽立ちが介在して滑り抵抗を派生して結び目の弛緩防止に効果がある。
【図面の簡単な説明】
【００２１】
【図１】本発明の開口部構造を有するゴミ袋の流通形態の説明図
【図２】本発明の開口部構造を有する連続したゴミ袋の説明図
【図３】本発明の開口部構造を有するゴミ袋の切離状態の正面説明図
【図４】本発明の開口部構造を有するゴミ袋単体の正面図
【図５】本発明の開口部構造における他の実施例の説明図
【図６】本発明の開口部構造の一実施例の使用形態を示す説明図
【図７】本発明の開口部構造の他実施例の使用形態を示す説明図
【図８】本発明の開口部構造におけるスリットＳの他実施例の正面図
【図９】本発明の開口部構造を有するゴミ袋の開口部緊締状態を示す説明図
【図１０】図３のI−I線を示す断面図
【図１１】本発明のゴミ袋に丸型のスリットＳを形成する作業状態の説明図
【図１２】図１１の状態からスリット工具を抜去した状態の袋開口部の説明図
【図１３】図８のゴミ袋のII−II線の拡大断面説明図
【図１４】本発明のガゼット付きゴミ袋の連続した状態を示す説明図
【図１５】図１４に示すガゼット付きゴミ袋の単体を示す正面図
【図１６】本発明のガゼット付きゴミ袋における開口部緊締状態の説明図
【図１７】本発明の開口部構造の他実施例の使用形態を示す説明図
【発明を実施するための形態】
【００２２】
この発明は、袋開口部Ｍの開口縁部を波形とすることにより中央に山形突出状の前後面フラップ１、１´を、また、その左右側に谷部２を挟んで略長方形状の左右取っ手部３、３´をそれぞれ形成した合成樹脂フィルム素材のゴミ袋Ａにおいて、前後面フラップ１、１´の周縁部近傍にスリットＳを貫通形成してスリットＳの端縁が指腹係合部となるように構成することによりその部分の摩擦抵抗がフィルム外表面より大きくなるようにしたゴミ袋の開口部構造を提供せんとする。
【００２３】
また、前後面フラップの周縁部近傍に形成したスリットＳは単一または複数個の円孔としたことにも特徴を有する。
【００２４】
また、前後面フラップの周縁部近傍に形成したスリットＳは複数個の縦線又は横線又は交差線よりなる線状スリット群Ｓ´であることにも特徴を有する。
【００２５】
また、前後面フラップの周縁部近傍としては、前後面フラップ１，１´の略頂上部の位置としたことにも特徴を有する。
また、前後面フラップ１、１´の周縁部近傍にスリットＳを形成するに際に使用するスリット工具Ｔは、その歯先外面に粗造面ｈを形成したことにも特徴を有する。
【００２６】
本件発明のゴミ袋の開口部構造の実施例を図面に基づき詳説する。
【００２７】
図３は、本件発明に使用する合成樹脂フィルム素材のゴミ袋Ａの単体であり、ゴミ袋Ａは図２に示すように連続した円筒状のフィルムの所定箇所、すなわち、袋の長さと形を保持するための所定個所を熱溶着した熱溶着線ｎを形成すると共に、袋ごとに分離可能とした分離用のミシン目ｍを刻設していき、最終的にはかかる加工を施した連続ゴミ袋シート体ａは図１に示すように円筒状に巻き取られて自治体に納品され各家庭に頒布される。
【００２８】
なお、連続ゴミ袋シート体ａを円筒状のコンパクトな巻取り形態とするためには、図２に示すようにその両側の一定幅員部分を中央に向かって折畳んで折畳み部ｐを形成して連続ゴミ袋シート体ａを幅狭形状にして巻き取る。ゴミ袋Ａの他の実施例をしては、その両側縁部にガゼットgを形成した袋としており、最後に詳細に説明する。
【００２９】
分離用のミシン目ｍとしては、図２，３に示すように、上端の袋開口部Ｍを形成するための波形の開口ミシン目ｍ−１と、袋下端の熱溶着線ｎの下方に形成した二股状の突片５を形成するための尾端ミシン目ｍ−２とより構成されている。
【００３０】
なお、二股状の突片５はゴミ袋の下端に形成されており、ゴミを収納した後ゴミ袋を回収する際にゴミ袋上方の結び目以外にも下方の二股状の突片５も把持できるように構成しているものであり、転倒状態のゴミ袋の回収作業がこの突片５を把持することにより容易に行えるようにしている。
【００３１】
ゴミ袋の袋開口部Ｍは開口ミシン目ｍ−１により波形に形成されており、具体的には図３に示すように開口ミシン目ｍ−１により袋開口部Ｍの中央に山形突出状の前後面フラップ１、１´を形成し、その左右両側に谷部２を挟んで略長方形状の左右取っ手部３、３´を形成している。なお、開口ミシン目ｍ−１を切り離して山形突起状に形成される前後面フラップ１、１’の切離縁は、図３に示すように滑らかな山形突起状とする他、図１７に示すように、山形突起状に形成された前後面フラップ１、１’の切離縁自体がうねりを持つ波状に形成されてもよい。
【００３２】
当然に袋開口部Ｍは筒状の前後フィルムで形成されているため、袋開口部Ｍの前後面フラップ１、１´も左右取っ手部３、３´も当然に前後フィルムから構成される。
【００３３】
連続ゴミ袋シート体ａの通常の流通過程では図１に示すように長手状の円筒状のフィルムを巻き取った形態であるため、ゴミ袋として使用する際には巻取り形態から解除すると共に解除時には前後フィルムが密着してシート状の連続した袋となっている。
【００３４】
ゴミ袋Ａとして使用するためには、シート状に巻き取った連続円筒状のフィルムから一枚分のゴミ袋を引出し、ミシン目ｍに沿って一枚分のゴミ袋Ａを切り離す。
【００３５】
この状態でもゴミ袋Ａはシート状の袋となっているので使用者が開口部中央の前後面フラップ１、１´の外表面を指の腹面で摘まんで滑らせ前後面フラップ１、１´の密着面をずらして開口しようとしても開口部の前後の前後面フラップ１、１´内面が密着しているため指の腹面と袋開口部Ｍの表面とが滑り袋開口部Ｍの前後面フラップ１．１’の密着部分が容易に開口しない。特に、袋開口部Ｍの周縁にはミシン目ｍの形成加工が為されるため袋開口部Ｍの周縁の前後フィルムにおける密着力は他の部位よりも高い。
【００３６】
かかる袋開口部Ｍの形状を有する本実施例のゴミ袋Ａにおいて、本件発明の要旨は、中央に山形突出状の前後面フラップ１、１´を形成したゴミ袋Ａにおいて、前後面フラップ１、１´の周縁部近傍で合成樹脂フィルム表面に前後面フラップ１、１´を貫通した円孔又は線状のスリットＳを形成することによりスリットＳの端縁が指腹係合部Ｄとなるように構成したゴミ袋の開口部構造としたことにある。
【００３７】
また、前後面フラップ１、１´の周縁部近傍に形成したスリットＳは単一または複数個の円孔とし、また、図８に示すように前後面フラップ１、１´の周縁部近傍に形成したスリットＳは複数個の縦線又は横線又は交差線よりなる線状スリット群Ｓ´であり、前後面フラップ１、１´の周縁部近傍としては、前後面フラップ１、１´の略頂上部の位置としたことにある。
【００３８】
また、スリットＳを形成するために使用するスリット工具Ｔはその歯先外面に粗造面Ｔ−１を形成したことにある。
【００３９】
すなわち、合成樹脂フィルム素材のゴミ袋Ａにおいて、前後面フラップ１、１´の周縁部近傍にスリット工具Ｔを用いてスリットＳを貫通形成している。
【００４０】
スリット工具Ｔとしては、スリットＳの形状によって異なるが、例えば、図３、４、５、６、７に示すような円孔を形成する場合はポンチ等の工具を用いてフィルムに打ち込むことにより円孔を形成する。
【００４１】
なお、スリットＳは通常切れ込みなどの溝形状を指称するが、本件発明では線状の他に円形状や楕円形状などの湾曲形状も含めてスリットの用語を使用することとした。
【００４２】
このように前後面フラップ１、１´の周縁部近傍にスリット工具Ｔを打ち込み、次いで引き抜くことによりフィルムには円孔や線状のスリットＳがフィルムを貫通した状態で形成されると共に、スリット工具Ｔの引き抜きによりスリットＳの周縁部には線毛状のフィルム破断片ｆが折り返されてスリット周縁部から起毛した状態となる。
【００４３】
この理は、機械的なポンチ工具を用いた場合以外、例えば、熱溶断具を用いた場合でも略同様のフィルム破断の起毛状態が生起する。
【００４４】
しかも、スリットの形状が後述する線状スリット群Ｓ´であってもスリット工具ＴによりスリットＳの周縁部にフィルムの破断片による起毛が生起する。
【００４５】
かかるスリットＳの周縁部にフィルム破断片による起毛が生起すると、起毛はフィルムの表面から突出した状態となりその部分の摩擦抵抗がフィルム外表面より大きくなる。すなわち、かかる摩擦抵抗が大きくなる部分が指腹係合部Ｄとなり、ゴミ袋Ａの袋開口部Ｍを指腹で摘まんで開口するときの指腹係合機能を果たし、指腹のスリップを防止して円滑な開口作業が行えるものである。
【００４６】
スリットＳの円孔は、図４乃至７に示すように単一または複数個の円孔とすることができる。複数個の円孔の場合は一定の間隔で円弧状に並列する場合や、図７に示すようにフリップ１、１´の側縁のミシン目に沿って重複して設けミシン目から切離する際に円孔が大きな凹凸となりその分だけ切離縁の起毛が生起しやすく指腹係合部Ｄとしての機能を高めることができる。
【００４７】
図５の複数の円孔は円孔の隣接間隔を小さくし、また一部は隣接して孔が連通状態となっているものであり、スリット工具Ｔにより円孔を形成した場合に周縁部のフィルム破断片ｆの起毛がアトランダムに生起して指腹係合部Ｄとしての機能をより発揮することができる。
【００４８】
また、密着状態の袋開口部Ｍのフィルムを指腹で摘まんで開口する際に指腹を隣接した複数の円孔になぞって移動させれば複数の円孔近傍に皺がよりやすく指腹での摘まみ現象が生起することができる。
【００４９】
また、図６に示すように前後面フラップ１、１´の切離用の開口ミシン目ｍ−１の頂上部を目の粗いミシン目とすることにより、開口ミシン目ｍ−１から前後面フラップ１、１´を切離すると目の粗いミシン目ｍ−１´は不完全で切れずに残存し、これを更に引きちぎると前後面フラップ１、１´の周縁一部には切離片ｍ−１´´が突出して残ったり、切離凹みｍ−１´´´が陥没状に形成されたりして、指腹係合部Ｄを形成する。
【００５０】
しかも、かかるミシン目からの切離作業によって密着した前後面フラップ１、１´の間に空気が入り密着状態が解除されてフラップのフィルムがつまみやすく、かつ前後面でずらしやすくなって指腹による袋開口部Ｍの開口を容易にすることができる。
【００５１】
また、前後面フラップ１、１´の周縁部近傍にスリットＳを形成するに際に使用するスリット工具Ｔは、その歯先外面に粗造面ｈを形成している。
【００５２】
従って、スリット工具Ｔにより前後面フラップ１、１´にスリットＳを形成する際にスリット工具Ｔをフィルムに打ち込み、次いで引き抜く場合、スリットの周縁部が歯先外面に粗造面ｈによってフィルム破断片ｆと係合して引き上げるとスリット周縁部が起毛しやすく指腹係合部Ｄの形成がより効果的に行いやすくなる。
【００５３】
なお、スリット工具Ｔの歯先外面に形成する粗造面ｈとしては、細横溝であったり、ローレットであったり、要するにスリット工具Ｔをフィルムから引き抜くときにスリット周縁部に起毛が生起する係合可能な粗造面であればよい。
【００５４】
摩擦抵抗の大きいスリット加工を施す個所としては、図３に示すように前後面フラップ１、１´の外表面の周縁部近傍に限定することにより、ゴミ袋Ａをミシン目ｍから分離した後に袋開口部Ｍを開く操作をする際に使用者が操作しやすい個所を選択した。かかる選択は、使用者にとってゴミ袋の中央の山形突出状の部分が最も視認しやすく、かつ手指で開く動作も行いやすいという経験則に基づく。
【００５５】
そして、かかる前後面フラップ１、１´の外表面の周縁部近傍の場所としては、前後面フラップ１、１´の頂上部を形成する半円弧状の周縁部又は頂上の位置とする。
【００５６】
このように構成したゴミ袋Ａにおいて、袋開口部Ｍを開口する場合は、まず、前後面フラップ１、１´の周縁部近傍において二本の指腹面で前後開口部シートの外表面を挟持してつまむ動作をすれば、前後面フラップ１、１´の周縁部近傍はスリットＳが形成されて摩擦抵抗が他所に比し大きいため指腹面がスリットＳの摩擦抵抗を受けて前後開口部シートの外表面にうねり状の皺を生起して密着した袋開口部Ｍに間隙をつくり開口しやすくなる。
【００５７】
従って、ゴミ袋の開口操作が指を滑らせて容易に行えるためにゴミ収納作業を迅速に且つ簡便に終了することができる。
【００５８】
かかる袋開口部Ｍの容易な開口操作でゴミを収納した後には、前述した通りの袋開口部Ｍの緊締作業を行うことになる。
【００５９】
上記のように袋開口部Ｍを開口してゴミを収納した後には、ゴミ袋Ａの前後面フラップ１、１´とその両側の形成された取っ手部３、３´を図９に示すように結んで緊締閉塞する。
【００６０】
すなわち、前後面フラップ１、１´は山形突出状であるため突出部を互いに結ぶことにより開口部の前後方向の緊締閉塞がなされる。そして、かかる結び目ｔ方向は前後面フラップ１、１´を結ぶため袋開口部Ｍの前後方向となる。
【００６１】
次いで、前後面フラップ１、１´の左右に位置する略長手状の左右取っ手部３、３´を左右から結ぶ。この際に結ばれる左右取っ手部３、３´はすでに結ばれた前後面フラップ１、１´の結び目ｔの上方に重なり、左右から結ぶために結び目ｔ´の方向はゴミ袋左右方向となる。
【００６２】
従って、図９に示すように前後面フラップ１、１´と左右取っ手部３、３´との結び目ｔ、ｔ´は互いに十文字にクロスした状態で上下に重なって袋開口部Ｍを緊締することになる。
【００６３】
なお、前後面フラップ１、１´と左右取っ手部３、３´との各結び目ｔ、ｔ´はどちらを先に形成するかは任意であり、従って各結び目ｔ、ｔ´の上下の重なりもどちらを上方にするかは任意である。
【００６４】
このような前後左右からの結び目ｔ、ｔ´による緊締であるため袋開口部Ｍが不用意に開いてゴミが飛び出す虞がない。
【００６５】
すなわち、結び目ｔにおいては、互いに接触する面に少なくともフィルム外表面よりは摩擦抵抗の大きい加工を施しているため結び目ｔ同士が滑りにくくなり不用意に結び目が弛緩して緊締が解ける虞を可及的に防ぐ。
【００６６】
このように、開口縁の前後面フラップ１、１´と取っ手部３、３´のそれぞれの独特の形状を利用して前後面フラップ１、１´同士の結び目ｔと左右取っ手部３、３´同士の結び目ｔ´とを前後左右でクロスするようにして袋開口部Ｍの緊締を行うものであり、前後面フラップ１、１´の周縁部近傍に摩擦抵抗がフィルム外表面よりは大きいスリット加工を施したことにより前後面フラップ１、１´外表面に形成した指腹係合部Ｄが結び目構造内で互いに当接し、滑り摩擦抵抗が高いためその分滑動機能が低下して結び目が弛緩しにくく、指によるゴミ袋の容易な開口操作と共に、ゴミ収納後の袋開口部Ｍの確実な緊締を同時に果たすことができる。
【００６７】
なお、上記した開口部構造を有したゴミ袋Ａは、袋の両側縁にガゼットｇを施していない円筒状袋に関する説明であったが、図１４以下に示すゴミ袋Ａは、連続ゴミ袋シート体ａを形成するときにその両側縁にガゼットｇを形成して制作したものである。
【００６８】
すなわち、図１４に示すように両側縁にガゼットｇを形成した連続ゴミ袋シート体ａからゴミ袋Ａの単体をミシン目から切離して形成すると予めガゼットｇの外側縁線ｇ−１は内方へ折り込まれた折り込み部ｐとなり、ガゼットｇの内側縁線ｇ−２は折り返し線となっており、しかも、この折り返し線の上部の袋開口部Ｍに対応する谷部２のミシン目はガゼットｇの内側縁線ｇ−２の折り返し線を切断する位置に形成されているため袋開口部Ｍの左右側の左右取っ手部３０、３０´は図１５に示すように逆Ｕ字状の手提げ把手形状Ｓ−１に形成される。
【００６９】
図１６（ａ）（ｂ）は、かかるガゼット形状のゴミ袋Ａの袋開口部Ｍを前後左右から緊締した状態を示す説明図である。基本的には図９に示すガゼットの無い通常のゴミ袋Ａの緊締形態と同様であるが、左右取っ手部３０、３０´の緊締のための結びは、ガゼット形状のゴミ袋Ａの方が逆Ｕ字状の手提げ把手形状Ｓ−１に形成されている分結びやすく且つ解けにくい。しかも、本件発明では前後面フラップ１、１´の周縁部近傍に摩擦抵抗の大きな加工を施しているのでより緊締が解けない効果がある。
【符号の説明】
【００７０】
Ａ  ゴミ袋
ａ  連続ゴミ袋シート体
ｔ  結び目
Ｍ  袋開口部
Ｄ  指腹係合部
ｍ  ミシン目
ｍ−１  開口ミシン目
ｍ−２  尾端ミシン目
ｎ  熱溶着線
ｐ  折畳み部
ｇ  ガゼット
Ｓ  スリット
ｆ  フィルム破断片
Ｓ´  線状スリット群
Ｔ  スリット工具
Ｔ−１  粗造面
１、１´  前後面フラップ
２  谷部
３、３´  左右取っ手部
５  二股状の突片
【図１】
2015151221.tif 000003
【図２】
2015151221.tif 000004
【図３】
2015151221.tif 000005
【図４】
2015151221.tif 000006
【図５】
2015151221.tif 000007
【図６】
2015151221.tif 000008
【図７】
2015151221.tif 000009
【図８】
2015151221.tif 000010
【図９】
2015151221.tif 000011
【図１０】
2015151221.tif 000012
【図１１】
2015151221.tif 000013
【図１２】
2015151221.tif 000014
【図１３】
2015151221.tif 000015
【図１４】
2015151221.tif 000016
【図１５】
2015151221.tif 000017
【図１６】
2015151221.tif 000018
【図１７】
2015151221.tif 000019